(57)【要約】【課題】デジタルカメラ機能付き双眼鏡において観察中の音声録音を容易にする。【解決手段】双眼鏡１０の右目用対物レンズ１１Ｒ、左眼用対物レンズ１１Ｌの間に撮影用対物レンズ１３を配置する。撮影用対物レンズを介して、対物レンズ１１Ｒ、１１Ｌを介した観察画像と略同一の画像をデジタル画像として撮影する。双眼鏡１０のケーシング底面に穿孔を設け録音マイク２２を配置する。デジタル画像撮影直後、録音マイク２２によりこのデジタル画像に対応付けて音声を記録する。【選択図】        図３
2004166055.tif 000002
【特許請求の範囲】
【請求項１】
双眼鏡の光学系を介して観察される画像と略同一の画像を撮影し記録する画像撮影手段と、音声を録音する録音マイクとを備え、
前記録音マイクが前記双眼鏡の底面に配置される
ことを特徴とするデジタルカメラ機能付き双眼鏡。
【請求項２】
前記底面が三脚を取り付けるための三脚取付部を有することを特徴とする請求項１に記載のデジタルカメラ機能付き双眼鏡。
【請求項３】
前記録音マイクにより記録された音声データを前記画像撮影手段により撮影された画像に対応付けて記録することを特徴とする請求項１に記載のデジタルカメラ機能付き双眼鏡。
【請求項４】
前記録音マイクによる録音が前記画像撮影手段による画像撮影の直後に行われることを特徴とする請求項１に記載のデジタルカメラ機能付き双眼鏡。
【請求項５】
前記録音マイクが、前記底面のうち前記双眼鏡の接眼レンズが設けられた面に近接する位置に設けられることを特徴とする請求項１に記載のデジタルカメラ機能付き双眼鏡。
【請求項６】
前記録音マイクが、前記底面のうち前記双眼鏡の一対の光学系に挟まれる位置に設けられることを特徴とする請求項１に記載のデジタルカメラ機能付き双眼鏡。
【発明の詳細な説明】
【０００１】
【発明の属する技術分野】
本発明は、デジタルカメラ機能が搭載された双眼鏡に関する。
【０００２】
【従来の技術】
デジタルカメラの機能と双眼鏡の機能が一体化されたデジタルカメラ機能付き双眼鏡が知られている。デジタルカメラ機能付き双眼鏡では、接眼レンズを通して複眼視される映像と略同一の画像を液晶モニタに表示できるとともにデジタル画像として記録可能である。
【０００３】
ところで、デジタルカメラには、記録画像に音を附すために録音マイクを備えるものがある。録音は例えば撮影直後の所定時間内に行われる場合や、撮影作業終了後、画像を選択してアフレコとして録音される場合がある。前者は、撮影現場において周囲の音を録音し臨場感を記録する場合や、撮影状況を説明する音声をメモとして録音する場合などに用いられる。また後者の場合は、モニタ等に撮影画像を表示して、画像に附すべき音声データが録音される。デジタルカメラは画像を撮影するための機器であるため、従来デジタルカメラの録音マイクは、カメラの前面（レンズ側）や、ファインダの近く、あるいはカメラ本体の上面に設けられており、ファインダを覗きながら音声を録音する場合は想定されていない。
【０００４】
【発明が解決しようとする課題】
一方、デジタルカメラ機能付き双眼鏡では、双眼鏡を介して観察対象物を遠望することが主であり、画像の撮影は双眼鏡による観察を継続しながら行われることが多い。このような場合、録音マイクを従来のデジタルカメラのよう配置すると、音声が録音し難いという問題がある。
【０００５】
本発明は、観察中に音声録音が容易に行えるデジタルカメラ機能付き双眼鏡を提供することを目的としている。
【０００６】
【課題を解決するための手段】
本発明のデジタルカメラ機能付き双眼鏡は、双眼鏡の光学系を介して観察される画像と略同一の画像を撮影し記録する画像撮影手段と、音声を録音する録音マイクとを備え、録音マイクが双眼鏡の底面に配置されたことを特徴としている。
【０００７】
底面は、例えば三脚を取り付けるための三脚取付部を有する。これにより、双眼鏡を三脚に固定して画像を撮影することができる。また録音マイクにより記録された音声データを画像撮影手段により撮影された画像に対応付けて記録することが好ましい。すなわち、画像データに音声情報を附すことにより、臨場感のある記録を行うことができるともに、撮影画像に関わる情報を音声データとして記録できるので、画像データの管理を容易にできる。
【０００８】
画像が撮影されたときの状況をその場の状況や印象が変わる前に録音するには、録音マイクによる録音が、画像撮影手段による画像撮影の直後に行われることが好ましい。
【０００９】
対象物の観察を継続しながらより鮮明・確実に双眼鏡観察者の音声を録音するには、音声を発する観察者の口に近いところに録音マイクが存在する必要があるので、録音マイクは、底面のうち双眼鏡の接眼レンズが設けられた面に近接する位置、又は／かつ底面のうち双眼鏡の一対の光学系に挟まれる位置に設けられることが好ましい。
【００１０】
【発明の実施の形態】
以下、本発明の実施の形態を、図面を参照して説明する。
図１は、本発明の一実施形態であるデジタルカメラ機能付き双眼鏡の外観を接眼レンズ側（背面側）から見たときの斜視図である。図２は、図１のデジタルカメラ機能付き双眼鏡を対物レンズ側から見た正面図であり、図３は正面図の一部を破断して示した部分断面図である。また、図４はデジタルカメラ機能付き双眼鏡の底面図である。以下図１〜図４を参照して本実施形態のデジタルカメラ機能付き双眼鏡について説明する。
【００１１】
デジタルカメラ機能付き双眼鏡１０は、本体１０Ａと、眼幅調整のために本体１０Ａに対し横幅方向（矢印Ａ方向）に相対的に変位可能である可動部１０Ｂとからなる。図１は、眼幅が最小にされた状態を示し、図２、３、４は一定の幅に広げられた状態を示す。図２〜図４に示されるように、双眼鏡本体１０Ａのケーシングは、可動部１０Ｂのケーシングの開口部１０ｂに摺動自在に嵌入可能な嵌入部１０ａを有する。嵌入部１０ａの外殻は、可動部１０Ｂ内に嵌入されるため本体１０Ａの主要部のケーシングの寸法よりも小さく段部１０ｃにより主要部と連結される。双眼鏡１０を使用しないときには、本体１０Ａ及び可動部１０Ｂは眼幅が最小となる位置まで縮められ（図１の状態）、嵌入部１０ａは可動部１０Ｂの内側に全て嵌入され、可動部１０Ｂの開口部１０ｂは、双眼鏡本体１０Ａの段部１０ｃに当接される。
【００１２】
なお、双眼鏡１０が通常に使用される状態、すなわち、双眼鏡本体１０Ａの厚さ方向（図２中、矢印Ａ方向と直交する上下方向）を観察者の親指と他の指とで挟んで保持し、撮影光学系の光軸が略水平方向に向けけられた観察状態においては、親指が当接している、重力方向に向く面が双眼鏡１０の底面、その反対側の他の指が当接する面が双眼鏡１０の上面となる。
【００１３】
本体１０Ａには、右眼用の観察光学系とデジタルカメラ用の撮影光学系が搭載され、可動部１０Ｂには、左眼用の観察光学系が搭載される。すなわち本体１０Ａの正面には、双眼鏡用の対物レンズ１１Ｒ、及びデジタルカメラ用の対物レンズ１３が設けられ、背面には対物レンズ１１Ｒに対応する接眼レンズ１２Ｒ（図３参照）が設けられる。一方、可動部１０Ｂの正面には双眼鏡用の対物レンズ１１Ｌが設けられ、その背面には対物レンズ１１Ｌに対応する接眼レンズ１２Ｌが設けられる。なお、デジタルカメラ用の対物レンズ１３は対物レンズ１１Ｌ、１１Ｒの間に配置され、使用されていないときは、レンズバリアにより閉じられている。レンズバリアの開閉は双眼鏡本体１０Ａの正面に設けられたスライドレバー１３Ｓを操作することにより行われる。
【００１４】
双眼鏡本体１０Ａのケーシングの上面には、例えばＬＣＤ（ｌｉｑｕｉｄ  ｃｒｙｓｔａｌ  ｄｉｓｐｌａｙ）等からなる画像表示部１４Ｄ（図１参照）を備えた画像表示装置１４が設けられる。ケーシング上面において画像表示装置１４よりも接眼部よりには、双眼鏡用の光学系及びデジタルカメラ用の光学系に連動し、それぞれの光学系の合焦を行うための転輪１５が設けられる。画像表示装置１４は、パネル状に成形されており、双眼鏡ケーシングの底面と正面の稜線に平行な軸を回転軸に開閉自在である（図１の矢印Ｂ）。すなわち、画像表示装置１４が開かれると、画面（ＬＣＤ１４Ｄ）は背面方向（接眼レンズ側）に向けて略直立される。また、画像表示装置１４が閉じられると、画面は双眼鏡本体１０Ａのケーシング底面に臥せられる。なお、画像表示部１４Ｄには、撮影された画像、あるいはデジタルカメラを通した動画像が表示される。
【００１５】
図１に示されるように、双眼鏡本体１０Ａの図中左側にはレリーズスイッチ１６が設けられる。本体１０Ａのケーシング底面において、レリーズスイッチ１６よりも前側（正面より）には、メニュキー１７、録音キー１８、及び上下左右方向に対応する４つの矢印キー１９Ｕ、１９Ｄ、１９Ｌ、１９Ｒと、これらに囲まれるＯＫキー２０とが設けられる。すなわち、ユーザがデジタルカメラ機能付き双眼鏡１０を使用するために右手で本体１０Ａを保持したとき、右手の人差指はスイッチ群１６〜２０を操作可能な位置に位置し、ユーザは双眼鏡を覗きながら人差指でデジタルカメラのレリーズスイッチ１６を操作することができる。
【００１６】
一方、図４に示すように双眼鏡本体１０Ａの底面には三脚取付部２１及び録音マイク２２が設けられる。また、三脚取付部２１には三脚ネジ穴２１ａが設けられる。すなわち、双眼鏡１０は、三脚取付部２１を介して図示しない三脚の雲台に固定することができる。なお、双眼鏡本体１０Ａの側端部にはＵＳＢ／ビデオ出力端子３０が設けらておりＵＳＢ／ビデオ出力端子３０は、端子カバー３０Ｃにより覆われている。また、可動部１０Ｂの側端部には、電池格納室３１（図５参照）が設けられており電池格納室は、電池カバー３１Ｃ（図１、図４参照）により覆われている。
【００１７】
録音マイク２２は、本体１０Ａのケーシング内において底面に平行に設けられた回路基板２３に取り付けられる。録音マイク２２が取り付けられた位置に対応する本体１０Ａのケーシング底面には、ケーシングの内外を連通し、録音マイク２２の外径と略同じ大きさの穿孔が設けられる。すなわち、録音マイク２２は本体１０Ａのケーシングの底面に設けられた穿孔を通して音を拾う。本実施形態では、録音マイク２２は、双眼鏡の右側の光学系の下（対物レンズ１１Ｒと接眼レンズ１２Ｒの間）、かつ奥行き幅の略中央に位置する。
【００１８】
本実施形態のデジタルカメラ機能付き双眼鏡１０では、双眼鏡の対物レンズ１１Ｌ、１１Ｒを介して観察される画像と略同一の画像を撮影用の光学系である対物レンズ１３を介して撮像できる。すなわち、双眼鏡本体１０Ａ内には図示しない撮像素子が搭載されており、レリーズスイッチ１６が全押しされると、例えば電子シャッタ動作により対物レンズ１３を介した画像がデジタル画像として撮影される。また、画像撮影直後、一定時間内に例えば録音キー１８が操作されると、録音マイク２２により周囲の音が音声データとして例えば所定時間記録され、撮影されたデジタル画像に対応付けて記録される。
【００１９】
以上のように、本実施形態によれば、録音マイクが双眼鏡１０の底面に設けられているので、使用者は双眼鏡を覗きながら、観察対象物を撮影するとともにそのときの状況に即して自ら発声した音声情報を簡単、かつ鮮明に録音することができる。
【００２０】
次に、図５、図６を参照して本実施形態の変形例について説明する。変形例は、上述の実施形態と録音マイクの底面における位置が異なるだけであるので、その位置についてのみ説明する。なお、図５、図６に示された双眼鏡１０は、図１と同様に眼幅が最小にされている。また、図６において、接眼レンズ１２Ｒ、１２Ｌは転輪１５の回転によりケーシング内に略全体が格納された状態にある。
【００２１】
図５は本変形例におけるデジタルカメラ付き双眼鏡の正面図の一部を破断して示した部分断面図であり、図６はその底面図である。変形例において録音マイク２２は、双眼鏡本体１０Ａの底面の接眼レンズ１２Ｒ、１２Ｌが設けられた背面に近接し、かつ段部１０ｃに近い位置に配置される。すなわち、録音マイク２２は双眼鏡１０の底面において、接眼レンズ１２Ｒ、１２Ｌよりに位置するとともに、左右の接眼レンズ１２Ｌ、１２Ｒの間に位置する。
【００２２】
以上のように、本変形例においても上記実施形態と略同様の効果を得ることができる。また、本変形例では、録音マイクが対象物の観察を継続している双眼鏡観察者のより口に近い位置に配置されるのでより鮮明に観察者の音声を拾うことができる。
【００２３】
【発明の効果】
以上のように、本発明によれば、観察中に音声録音が容易に行えるデジタルカメラ機能付き双眼鏡を提供できる。
【図面の簡単な説明】
【図１】本発明の一実施形態であるデジタルカメラ機能付き双眼鏡の背面である接眼レンズ側からの斜視図である。
【図２】図１に示された双眼鏡の正面図である。
【図３】図２に示された双眼鏡の正面図の一部を破断した部分断面図である。
【図４】図１に示された双眼鏡の底面図である。
【図５】変形例におけるデジタルカメラ機能付き双眼鏡の正面図の一部を破断した状態で示した部分断面図である。
【図６】図５の双眼鏡の底面図である。
【符号の説明】
１０  デジタルカメラ機能付き双眼鏡
１０Ａ  本体
１０Ｂ  可動部
１４  画像表示装置
１４Ｄ  画像表示部（ＬＣＤ）
１６〜２０  操作スイッチ群
２２  録音マイク
【図１】
2004166055.tif 000003
【図２】
2004166055.tif 000004
【図３】
2004166055.tif 000005
【図４】
2004166055.tif 000006
【図５】
2004166055.tif 000007
【図６】
2004166055.tif 000008